(57)【要約】      （修正有）【課題】侵入者に対する防犯効果が高い警告発生機能を有する空気調和機を提供する。【解決手段】人体２０ａを検出する人体検出手段４を備えた室内機２と、前記室内機２の運転を遠隔操作すると共に防犯モードの作動、解除を選択できる防犯モード選択手段７を有するコントローラ５とを備え、防犯モード作動時に前記人体検出手段４で前記人体２０ａが検出されたときに警告を発する警告音発生手段３ｂを少なくとも前記コントローラ５に備えたもので、警告を発生する警告発生手段３ｂを備えたコントローラ５を防犯効果の高い場所に自由に設置することができるので、新たな防犯設備の設置や工事も必要なく安価且つ容易に、効果的な防犯効果を得ることができる。また、防犯モードの作動、解除を選択できる防犯モード選択手段７がコントローラ５に設けられているので、防犯モードの作動、解除が容易にでき、使用勝手の良い空気調和機を提供することが出来る。【選択図】図１
2007155180.tif 000002
【特許請求の範囲】
【請求項１】
人体を検出する人体検出手段を備えた空気調和機本体と、前記空気調和機本体の運転を遠隔操作すると共に防犯モードの作動、解除を選択できる防犯モード選択手段を有するコントローラとを備え、防犯モード作動時に前記人体検出手段で前記人体が検出されたときに警告を発する警告発生手段を少なくとも前記コントローラに備えた空気調和機。
【請求項２】
コントローラで、防犯モードの作動時刻および／又は解除時刻を予め設定できるようにした請求項１に記載の空気調和機。
【請求項３】
空気調和機本体の運転が開始すると、防犯モードを自動解除するようにした請求項１又は２に記載の空気調和機。
【請求項４】
防犯モード作動時に、人体検出手段で人体を検出してから所定時間経過するまで警告発生手段が動作しないようにした請求項１〜３のいずれか１項に記載の空気調和機。
【請求項５】
所定時間をコントローラで予め設定できるようにした請求項４に記載の空気調和機。
【請求項６】
人体検出視野の範囲を変更する検出視野変更手段を設け、防犯モードの設定時と解除時に応じて前記検出視野範囲を変更するようにした請求項１〜５のいずれか１項に記載の空気調和機。
【請求項７】
防犯モード作動時の検出視野範囲をコントローラで予め設定変更できるようにした請求項６に記載の空気調和機。
【請求項８】
コントローラに、警告が発生した時の時刻、熱画像等の情報を表示する表示部を設けた請求項１〜７のいずれか１項に記載の空気調和機。
【請求項９】
コントローラに、警告が発生した時の時刻、熱画像等の情報を少なくとも１件以上記憶、蓄積する警告情報蓄積手段を備え、前記情報を、後から再表示できるようにした請求項８に記載の空気調和機。
【請求項１０】
警告発生手段は、音声で警告を発生するようにした請求項１〜９のいずれか１項に記載の空気調和機。
【発明の詳細な説明】
【技術分野】
【０００１】
本発明は、人体検出機能を有する空気調和機に関するものである。
【背景技術】
【０００２】
従来、この種の人体検出機能を有する空気調和機として、人体の在不在の検出に応じて運転／停止、設定温度、風向等を制御するとともに、室内の異常を報知するものが知られている。
【０００３】
例えば、図７に示すように、空気調和機の室内機２に、人体を検出する人体検出手段４と、コントローラ（図示せず）からの信号を受ける本体送受信部１０と、警告音発生手段３ａとを設け、使用者が外出する際や夜間部屋を不在にする際に、不在設定しておくと、侵入者２０が部屋１に侵入したときに、人体検出手段４が侵入者２０を検知し、警告音発生手段３ａで警告音を発っするようにした空気調和機がある（例えば、特許文献１参照）。
【特許文献１】特開２０００−３４６４２６号公報
【発明の開示】
【発明が解決しようとする課題】
【０００４】
しかしながら、上記従来の空気調和機では、室内機２のみで警告音を発生するようにしているので、室内機２が侵入者２０が侵入しやすい窓や出入り口等の近くに設置されている場合は、侵入者に対し効果的に威嚇できるが、室内機２が侵入者２０が侵入しやすい窓や出入り口等から離れた場所に設置されている場合は、警告音が侵入者２０に対し有効な威嚇作用を与ず、そのため、その窓や出入り口等の周辺に新たな防犯設備を追加設置しなければならないといった課題があった。
【０００５】
本発明は、安価な構成で、侵入者が侵入した際に警告を発する場所を自由に選ぶことができると共に、警告による侵入者に対する威嚇効果を最大限に発揮できる空気調和機を提供することを目的とする。
【課題を解決するための手段】
【０００６】
前記従来の課題を解決するために、本発明の空気調和機は、人体を検出する人体検出手段を備えた空気調和機本体と、前記空気調和機本体の運転を遠隔操作すると共に防犯モードの作動、解除を選択できる防犯モード選択手段を有するコントローラとを備え、防犯モード作動時に前記人体検出手段で前記人体が検出されたときに警告を発する警告発生手段を少なくとも前記コントローラに備えたもので、警告を発生する警告発生手段を備えたコントローラを防犯効果の高い場所に自由に設置することができるので、新たな防犯設備の設置や工事も必要なく安価且つ容易に、効果的な防犯効果を得ることができる。また、防犯モードの作動、解除を選択できる防犯モード選択手段がコントローラに設けられているので、防犯モードの作動、解除が容易で、使用勝手の良い空気調和機を提供することが出来る。
【発明の効果】
【０００７】
本発明の空気調和機は、新たな防犯設備の設置や工事を必要とすることなく、安価且つ容易に、警告発生手段を部屋の中でもっとも防犯効果の高い場所に配置することができる。
【発明を実施するための最良の形態】
【０００８】
第１の発明は、人体を検出する人体検出手段を備えた空気調和機本体と、前記空気調和機本体の運転を遠隔操作すると共に防犯モードの作動、解除を選択できる防犯モード選択手段を有するコントローラとを備え、防犯モード作動時に前記人体検出手段で前記人体が検出されたときに警告を発する警告発生手段を少なくとも前記コントローラに備えたもので、警告を発生する警告発生手段を備えたコントローラを防犯効果の高い場所に自由に設置することができるので、新たな防犯設備の設置や工事も必要なく安価且つ容易に、効果的な防犯効果を得ることができる。また、防犯モードの作動、解除を選択できる防犯モード選択手段がコントローラに設けられているので、防犯モードの作動、解除が容易で、使用勝手の良い空気調和機を提供することが出来る。
【０００９】
第２の発明は、特に、第１の発明のコントローラで、防犯モードの作動時刻および／又は解除時刻を予め設定できるようにしたもので、居住者が毎回防犯モードを設定したり解除したりする手間を省くことができ、防犯モードの設定忘れや解除忘れを防ぐことができる。
【００１０】
第３の発明は、特に、第１又は第２の発明の空気調和機本体の運転が開始すると、防犯モードを自動解除するようにしたもので、居住者が入室時に毎回防犯モードを解除する手間を省くことができ、解除忘れによる居住者への不要な警告発生を防ぐことができる。
【００１１】
第４の発明は、特に、第１〜３のいずれか一つの発明の防犯モード作動時に、人体検出手段で人体を検出してから所定時間経過するまで警告発生手段が動作しないようにしたもので、居住者が入室した際に、警告が発せられる前に防犯モードを解除することができ、居住者への不要な警告発生を防ぐことができる。
【００１２】
第５の発明は、特に、第４の発明の所定時間をコントローラで予め設定できるようにしたもので、居住者が入室してから解除するまでに要する個々の時間に合わせることができ、居住者への不要な警告発生を確実に防ぐことができる。
【００１３】
第６の発明は、特に、第１〜５のいずれか一つの発明の人体検出視野の範囲を変更する検出視野変更手段を設け、防犯モードの設定時と解除時に応じて前記検出視野範囲を変更するようにしたもので、例えば、空調時は、壁際等の不必要な部分を検出視野範囲から除くことでカーテンの揺れ等による誤検出を防ぐことができ、又防犯モード作動時は、窓や出入り口等の侵入口を中心とした視野範囲を設定することで、空調および防犯各々にとってより効果的な検出視野範囲を設定することができる。
【００１４】
第７の発明は、特に、第６の発明の防犯モード作動時の検出視野範囲をコントローラで予め設定変更できるようにしたもので、個々の部屋の間取りや窓の配置等に合わせて空調および防犯各々にとってより効果的な検出視野範囲を設定することができる。
【００１５】
第８の発明は、特に、第１〜７のいずれか一つの発明のコントローラに、警告が発生した時の時刻、熱画像等の情報を表示する表示部を設けたもので、いつ、どこから侵入者が進入したかおよび侵入者の身体的特徴などを確認することができ、部屋の防犯対策用に有効な情報を得ることができる。
【００１６】
第９の発明は、特に、第８の発明のコントローラに、警告が発生した時の時刻、熱画像等の情報を少なくとも１件以上記憶、蓄積する警告情報蓄積手段を備え、前記情報を、後から再表示できるようにしたもので、複数の侵入が発生した場合においても、後から侵入時の状況を履歴として確認することができ、部屋の防犯対策用に有効な多くの情報を得ることができる。
【００１７】
第１０の発明は、特に、第１〜９のいずれか一つの発明の警告発生手段は、音声で警告を発生するようにしたもので、侵入者に対してより効果的な警告を与え、さらに高い防犯効果を得ることができるとともに、他の部屋にいる居住者にも、侵入者の侵入場所等が音声で伝わり、侵入者に対する警告効果が大である。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における空気調和機およびコントローラの設置例を示す設置図である。
【００２０】
図１において、部屋１には、空気調和機の本体である室内機２が壁に設置されており、室内機２には、警告発生手段としてブザー等の警告音を発する警告音発生手段３ａと、人体２０ａの在不在を検出する人体検出手段４とを設けている。人体検出手段４は、例えば、温度が高い人体２０ａ等の動きによって反応する焦電素子と赤外線を検出する視野範囲を広げるフレネルレンズで構成された人感センサや、多数の焦電素子を配列することで部屋１内の熱画像を検出する赤外線画像センサを用いて、部屋１内における人体２０ａの在不在を検知するようになっている。
【００２１】
５は、空気調和機を遠隔操作するためのコントローラで、部屋１の、侵入者が入って来やすい窓際などに設置されている。
【００２２】
コントローラ５には、警告発生手段として警告音を発する警告音発生手段３ｂと、警告光を発する警告光発生手段６と、防犯モードの設定／解除を選択する防犯モード選択手段７と、空気調和機の操作に関する各種情報を表示する表示部８とを設けている。
【００２３】
基本的な空調のコントロール手段も設けているが説明を省略する。また、コントローラ５には、室内機２との赤外線信号の送受信を行うためのコントローラ送受信部９を、又室内機２には、コントローラ５との赤外線信号の送受信を行う本体送受信部１０を設け、コントローラ５と室内機２が双方向で情報をやり取りできるようになっている。なお、コントローラ５と室内機２との通信方式は赤外線信号に限らず、各種無線や有線等特に限定するものではない。
【００２４】
次に、本実施の形態における空気調和機およびそのコントローラの防犯機能の基本動作について説明する。
【００２５】
まず、居住者は、防犯機能を動作させたい時は、コンローラ５の防犯モード選択手段７で防犯モードを「解除」から「設定」に選択を変更する。防犯モードの「設定」を選択してから居住者が部屋１からいなくなるまでに要する所定時間後、防犯モードの動作が開始する。
【００２６】
防犯モード作動時において、人体検出手段４が侵入者などの人体２０ａを検知すると、室内機２の本体送受信部１０から、侵入者検出信号がコントローラ５に送信され、コントローラ５のコントローラ送受信部７で、前記侵入者検出信号を受信すると、室内機２の本体送受信部１０へ警告音発生手段３ａから警告音を発生させる操作信号を出力し、室内機２の警告音発生手段３ａから警告音が発生する。
【００２７】
同時に、コントローラ５の警告音発生手段３ｂおよび、警告光発生手段６へ警告音および警告光を発生させるための操作信号を出力し、警告音発生手段３ｂおよび、警告光発生
手段６のそれぞれから警告音および警告光が発せられ、侵入者を威嚇し侵入を防止することができる。
【００２８】
なお、警告音発生手段３ｂは、ブザー音等の信号音に限らず、コントローラ５に内蔵されたメモリ（図示せず）に記憶された言葉を、音声合成による声で発生するようにすれば、より高い防犯効果が得ることができる。又、予めコントローラ５に記憶された複数の言葉の中から居住者が防犯に有効と考える言葉を自由に選択できるようにしても良い。
【００２９】
例えば、空気調和機およびコントローラ５の設置場所が１階リビングであれば、『１階リビングに侵入者有り』という侵入場所を報知するような言葉を選ぶことによって、居住者が別室にいる場合は、居住者に、侵入者の侵入場所を報知し、注意を促すことも可能となり、又、侵入者に対しては一層の威嚇作用を与えることができる。
【００３０】
図１に示すように、コントローラ５は、侵入者が侵入する可能性が高い窓や出入り口等の周辺に、居住者が自由に設置することができるので、侵入者により近い位置で警告音や警告光を発生することができ、新たな防犯設備の設置や工事の必要もなく、安価で容易により高い防犯効果を発揮することができる。また、このような警告や警告光を発生する防犯機能付きのコントローラは１台に限定するものではなく、複数台設置することによってさらに高い防犯効果を発揮することも可能である。
【００３１】
（実施の形態２）
図２は、本発明の第２の実施の形態における空気調和機およびコントローラの防犯機能の一例を示すブロック図、図３は、同コントローラの外観図、図４は、同空気調和機の防犯モード解除時の人体検出視野範囲の一例を示す平面図、図５、６は、同防犯モード作動時の人体検出視野範囲の一例を示す平面図である。尚、上記第１の実施の形態と同一部分については、同一符号を付してその説明を省略する。
【００３２】
本実施の形態は、コントローラ５に、居住者が予め作動時刻と解除時刻をコントローラ５から入力、設定するための防犯モード作動／解除時刻設定手段１１と、設定された作動時刻あるいは解除時刻に防犯モードを自動的に作動／解除するように警告音発生手段３および警告光発生手段６に作動指示／解除指示を行う警報発生制御手段１５と、空気調和機が停止から運転になると、その情報を警告発生制御手段１５に出力し、防犯モード作動中であれば防犯モードを自動的に解除する運転情報出力手段１２と、防犯モード作動時において、人体検出手段４が人体２０ａを検出してから警告発生制御手段１５が警告音発生手段３ａ、３ｂおよび警告光発生手段６に作動指示を行うまでの遅延時間を設定する警告発生遅延タイマー設定手段１３と、過去の侵入情報を少なくとも１件以上記憶、蓄積する警告発生情報蓄積手段１４と、表示部８に表示された過去の複数の侵入情報の中から選択した侵入情報を後から再表示させるための警告発生情報選択手段１６と、防犯モード作動時の人体検出視野範囲を予め居住者が設定変更できる検出視野選択手段１８とを備え、人体検出手段４には検出視野の範囲を変更する検出視野変更手段１７が設けられている。
【００３３】
次に、上記のように構成された空気調和機、コントローラの防犯機能の詳細動作について、図２〜６を用いて説明する。
【００３４】
コントローラ５には、防犯モード選択手段７を設け、居住者が手動で防犯モードの設定／解除をできるようになっているが、居住者が防犯モードの作動／解除の操作を忘れることが十分想定される。
【００３５】
そこで、防犯モード作動／解除時刻設定手段１１で、居住者が予め作動時刻と解除時刻をコントローラ５から入力、設定できるようにし、警報発生制御手段１５は、防犯モード
作動／解除時刻設定手段１１で設定された作動時刻あるいは解除時刻に防犯モードを自動的に作動／解除するように警告音発生手段３および警告光発生手段６に作動指示／解除指示を行う。
【００３６】
これらによって、居住者が毎回防犯モードを設定したり解除したりする手間を省くことができ、また、防犯モードの設定忘れや解除忘れを確実に防ぐことができる。
【００３７】
また、運転情報出力手段１２は、空気調和機が停止から運転になると、その情報を警告発生制御手段１５に出力し、防犯モードが作動中であれば防犯モードを自動的に解除する。
【００３８】
これによって、居住者が防犯モード作動中の部屋に入室した際、毎回防犯モードを解除する手間を省くことができるとともに、解除忘れによる居住者への不要な警告発生も防ぐことができる。
【００３９】
また、警告発生遅延タイマー設定手段１３で、防犯モード作動時における、人体検出手段４が人体２０ａを検出してから警告発生制御手段１５が警告音発生手段３ａ、３ｂおよび警告光発生手段６に作動指示を行うまでの遅延時間を設定することができるので、居住者が入室した際に居住者に対して警告が発せられる前に、居住者が防犯モードを解除することができ、居住者への不要な警告発生を防ぐことができる。
【００４０】
ただし、この遅延時間が長すぎると、侵入者への警告発生が遅れるため、居住者が入室してから解除するまでに要する最小限の時間に遅延時間を合わせることが必要である。
【００４１】
そこで、警告発生遅延タイマー設定手段１３は、個々の部屋１の大きさや入り口、空気調和機、コントローラ５の配置に応じて居住者自身が遅延時間を設定することが可能なため、居住者への不要な警告発生を確実に防ぎながら、侵入者をできるだけ早く検知し警告を発生させることができる。
【００４２】
コントローラ５の表示部８には、警告が発生した際に警告発生制御手段１５から出力される警告発生信号が出力された時の時刻を、侵入情報として表示されるようになっている。
【００４３】
また、同時に、コントローラ５から室内機２に対して、人体検出手段４によって検出された室内熱画像をコントローラ５に送信するように指示し、送信された熱画像をコントローラ５の表示部８に侵入情報として表示する。
【００４４】
これによって、いつ、どこから侵入者が侵入しようとしたかおよび侵入者の身体的特徴などを確認することができ、部屋１の防犯対策用に有効な情報を得ることができる。
【００４５】
居住者は、警告発生情報選択手段１６によって、表示部８に表示された過去の複数の侵入情報の中から、選択した侵入情報を後から再表示できる。これによって、複数の侵入が発生した場合においても、後から侵入時の状況を履歴として確認することができ、部屋の防犯対策に有効な多くの情報を得ることができる。
【００４６】
次に、人体検出手段４に設けられた検出視野変更手段１７は、例えば、焦電素子とフレネルレンズで構成された人感センサの視野方向をステッピングモーターで左右に回動することによって、視野範囲を任意に変更することができる。
【００４７】
図４は、防犯モード解除時における人体検出手段４の室内視野範囲を示す平面図を示す
一例である。
【００４８】
例えば、防犯モード解除時で、空気調和機の運転中において、部屋１内の在不在や人の活動量を検出して、在室時は、部屋内の人付近をより快適に制御し、不在時は設定温度を変更して省エネを図る制御等が行われる。
【００４９】
この際、壁際においてカーテンの揺れや、日射によるカーテンの温度変化等があった場合、人体検出手段４の人感センサが反応して不在を在室と誤検知しないように、壁際の不必要な範囲を除いて視野範囲を設定する。
【００５０】
図５、図６は、防犯モード作動時における人体検出手段４の室内視野範囲の一例を示す平面図である。
【００５１】
このように、防犯モード作動時においては、侵入者が侵入する可能性が高い窓際を含めて視野範囲を設定する。
【００５２】
以上のように、検出視野変更手段１７は、防犯モードの作動時と解除時に応じて人体検出視野範囲を自動的に変更することによって、空調時は、壁際等の不必要な視野範囲を除いてカーテンの揺れ等による誤検出を防ぐことができ、防犯モード作動時は、窓や出入り口等の侵入口を中心として侵入者の検知性能を高めることができる。
【００５３】
よって、空調時は快適性や省エネ性をより高めることができ、防犯モード作動時は防犯効果をより高めることが可能となる。
【００５４】
さらに、防犯モード作動時の人体検出視野範囲を予め居住者が設定変更できる検出視野選択手段１８をコントローラ５に設けることによって、個々の部屋の間取りや窓の配置等に合わせてより効果的な防犯時の人体検出視野範囲を設定することができ、さらに防犯効果を高めることができる。
【産業上の利用可能性】
【００５５】
以上のように、本発明にかかる空気調和機は、新たな防犯設備の設置や工事を必要とすることなく、安価且つ容易に、警告発生手段を、部屋の中でもっとも防犯効果の高い場所に配置することができるもので、人体検出機能を有した空気調和機、空気清浄機、除湿機、加湿器、扇風機、換気扇、照明器具等さまざまな機器に搭載可能であり、非常に広範囲な用途展開を図ることができる。
【図面の簡単な説明】
【００５６】
【図１】本発明の実施の形態１における空気調和機およびコントローラの設置例を示す設置図
【図２】本発明の実施の形態２における空気調和機およびコントローラの防犯機能の一例を示すブロック図
【図３】同コントローラの外観図
【図４】同空気調和機の防犯モード解除時の人体検出視野範囲の一例を示す平面図
【図５】同空気調和機の防犯モード作動時の人体検出視野範囲の一例を示す平面図
【図６】同空気調和機の防犯モード作動時の他の人体検出視野範囲の一例を示す平面図
【図７】従来の空気調和機およびそのコントローラの一例を示す設置図
【符号の説明】
【００５７】
１  部屋
２  室内機（空気調和機本体）
３ａ、３ｂ  警告音発生手段（警告発生手段）
４  人体検出手段
５  コントローラ
６  警告光発生手段
７  防犯モード選択手段
８  表示部
９  コントローラ送受信部
１０  本体送受信部
１１  防犯モード作動／解除時刻設定手段
１２  運転情報出力手段
１３  警告発生遅延タイマー設定手段
１４  警告発生情報蓄積手段
１５  警告発生制御手段
１６  警告発生情報選択手段
１７  検出視野変更手段
２０ａ  人体
【図１】
2007155180.tif 000003
【図２】
2007155180.tif 000004
【図３】
2007155180.tif 000005
【図４】
2007155180.tif 000006
【図５】
2007155180.tif 000007
【図６】
2007155180.tif 000008
【図７】
2007155180.tif 000009